(57)【要約】【課題】医療現場では、患者の急変や治療の効率化のため、素早く電子カルテや患者の申し送り事項を確認する必要がある。【解決手段】無線インタフェースを備える携帯端末と、携帯端末の無線インタフェースと通信可能である複数のアクセスポイントと、複数のアクセスポイントの何れかを介して、携帯端末と通信可能であるサーバとを備える医療情報提供システムにおいて、無線端末が、複数のアクセスポイントの何れかへの接続と共に、接続したアクセスポイント識別子を自動的に前記サーバに通知し、同時的に、接続中のアクセスポイントと異なる別のアクセスポイントとのアクセスポイント識別子を監視し、サーバが、携帯端末から通知されるアクセスポイント識別子に基づいて、当該アクセスポイント識別子に関連付けられて記憶保存されているエリア情報を参照し、参照したエリア情報に基づいて前記携帯端末に医療情報を提供することとした。【選択図】図１
2010079463.tif 000002
【特許請求の範囲】
【請求項１】
無線インタフェースを備える携帯端末と、
前記携帯端末の無線インタフェースと通信可能である複数のアクセスポイントと、
前記複数のアクセスポイントの何れかを介して、前記携帯端末と通信可能であるサーバとを備え、
前記無線端末は、      
前記複数のアクセスポイントの何れかへの接続と共に、接続したアクセスポイント識別子を自動的に前記サーバに通知する通知手段と、
接続中のアクセスポイントと異なる別のアクセスポイントとのアクセスポイント識別子を監視する監視手段とを有し、
前記サーバは、
前記携帯端末から通知されるアクセスポイント識別子に基づいて、当該アクセスポイント識別子に関連付けられて記憶保存されているエリア情報を参照する手段と、
参照したエリア情報に基づいて前記携帯端末に医療情報を提供する手段とを有する
ことを特徴とする医療情報提供システム。
【請求項２】
前記通知手段は、アクセスポイントへの接続後に、人為的に操作を要さずに、前記サーバにアクセスポイント識別子を送信することを特徴とする請求項１記載の医療情報提供システム。
【請求項３】
前記携帯端末は、前記監視手段を用いて、アクセスポイントに接続変更した場合に、前記通知手段を用いて、接続したアクセスポイント識別子を自動的に前記サーバに通知することを特徴とする請求項１又は２記載の医療情報提供システム。
【請求項４】
前記サーバは、前記携帯端末から通知されるアクセスポイント識別子に基づいて、当該アクセスポイント識別子に関連付けられて記憶保存されているエリア情報が複数ある場合に、前記携帯端末に対して、複数のエリア情報を提示することを特徴とする請求項１ないし３の何れか一記載の医療情報提供システム。
【請求項５】
前記アクセスポイント識別子は、BSSID（Basic Service Set Identifier）、ESSID（Extended Service Set Identifier）、アクセスポイントのMACアドレスの何れかであることを特徴とする請求項１ないし４の何れか一記載の医療情報提供システム。
【請求項６】
前記アクセスポイントは、無線ＬＡＮ規格又はBluetooth規格のアクセスポイントであることを特徴とする請求項１ないし４の何れか一記載の医療情報提供システム。
【請求項７】
無線インタフェースを備える携帯端末と、前記携帯端末の無線インタフェースと通信可能である複数のアクセスポイントと、前記複数のアクセスポイントの何れかを介して、前記携帯端末と通信可能であるサーバとを備える医療情報提供システムにおいて用いられる医療情報提供方法であって、
前記無線端末は、
前記複数のアクセスポイントの何れかへの接続と共に、接続したアクセスポイント識別子を自動的に前記サーバに通知し、
同時的に、接続中のアクセスポイントと異なる別のアクセスポイントとのアクセスポイント識別子を監視し、
前記サーバは、
前記携帯端末から通知されるアクセスポイント識別子に基づいて、当該アクセスポイント識別子に関連付けられて記憶保存されているエリア情報を参照し、
参照したエリア情報に基づいて前記携帯端末に医療情報を提供する
ことを特徴とする医療情報提供方法。
【請求項８】
前記無線端末は、アクセスポイントへの接続後に、人為的に操作を要さずに、前記サーバにアクセスポイント識別子を送信することを特徴とする請求項７記載の医療情報提供方法。
【請求項９】
前記携帯端末は、通信電波を監視して、アクセスポイントに接続変更した場合に、接続したアクセスポイント識別子を自動的に前記サーバに通知することを特徴とする請求項７又は８記載の医療情報提供方法。
【請求項１０】
前記サーバは、前記携帯端末から通知されるアクセスポイント識別子に基づいて、当該アクセスポイント識別子に関連付けられて記憶保存されているエリア情報が複数ある場合に、前記携帯端末に対して、複数のエリア情報を提示することを特徴とする請求項７ないし９の何れか一記載の医療情報提供方法。
【発明の詳細な説明】
【技術分野】
【０００１】
本発明は、アクセスポイントを介してネットワークに接続する無線端末と前記無線端末に対して医療情報を提供するサーバとを有する医療情報提供システムに関する。また、前記医療情報提供システムにおける医療情報提供方法に関する。
【背景技術】
【０００２】
電子カルテ等の患者に関する医療情報を、サーバに蓄積して保存し、無線端末を介して前記患者に関する情報を表示する無線システムが提案されている（例えば、特許文献１および特許文献２）。
【０００３】
特許文献１には、医療情報を蓄積する電子カルテサーバと、前記電子カルテサーバに蓄積された医療情報を電波で送信するアクセスポイント（手段）と、電波で送信された医療情報を受信する看護用携帯端末を備える看護支援システムが記載されている。当該看護支援システムは、携帯端末に医療情報を一時保存する一時保存手段を設け、電波の受信状態に基づいて、電波で送信された医療情報もしくは前記一時保存手段に保存されている医療情報の何れかを表示することで、電子カルテサーバにアクセスできない場所からでも、医療情報を参照可能としている。
【０００４】
特許文献２には、特許文献１と同様に、電子カルテ等の医療情報を蓄積するデータベースを備えたホストコンピュータと、前記ホストコンピュータとアクセスポイントを介して無線接続する看護師の携帯情報端末とを備える看護業務安全管理システムが記載されている。当該看護業務安全管理システムでは、携帯情報端末にICタグリーダ（質問器）を備えさせ、患者や薬剤等にICタグを付与し、ホストコンピュータからの指示（オーダ情報）に含まれるIDと、実際に看護師が処理する時に前記リーダで検出するIDとの整合性を判別することによって、患者の取り違え、又は、誤薬の投与を未然に防止している。
【０００５】
【特許文献１】特開２００６−０２４０４９号公報
【特許文献２】特開２００６−００４１３５号公報
【発明の開示】
【発明が解決しようとする課題】
【０００６】
ところで、医療現場では、患者の急変や治療の効率化のため、素早く電子カルテや患者の申し送り事項を確認する必要がある。
【０００７】
また、病室内などでの電子カルテ等の参照に、文字入力又はIDの読取り操作を要する。
【０００８】
具体的には、普及している電子カルテを無線端末から検索可能とする無線システムでは、医師や看護師による文字入力等の電子カルテの選択処理を行っており、医療情報の表示に時間を要している。
【０００９】
尚、特許文献１および特許文献２には、素早く医療情報（電子カルテや患者の申し送り事項）を表示できない。また、医療情報を表示する為に、部屋番号の入力や、ICタグの読取りなどを要する。
【００１０】
本発明は、上記課題に鑑み、携帯端末を用いて医療情報を参照する際、素早くデータベースにアクセス可能なシステムの提供を目的とする。
【００１１】
本発明の別の目的は、携帯端末を用いて医療情報を参照する際、素早くデータベースにアクセス可能な医療情報提供方法を提供することである。
【課題を解決するための手段】
【００１２】
本願発明の医療情報提供システムは、無線インタフェースを備える携帯端末と、前記携帯端末の無線インタフェースと通信可能である複数のアクセスポイントと、前記複数のアクセスポイントの何れかを介して、前記携帯端末と通信可能であるサーバとを備え、前記無線端末は、前記複数のアクセスポイントの何れかへの接続と共に、接続したアクセスポイント識別子を自動的に前記サーバに通知する通知手段と、接続中のアクセスポイントと異なる別のアクセスポイントとのアクセスポイント識別子を監視する監視手段とを有し、前記サーバは、前記携帯端末から通知されるアクセスポイント識別子に基づいて、当該アクセスポイント識別子に関連付けられて記憶保存されているエリア情報を参照する手段と、参照したエリア情報に基づいて前記携帯端末に医療情報を提供する手段とを有することを特徴とする。
【００１３】
本願発明の医療情報提供方法は、無線インタフェースを備える携帯端末と、前記携帯端末の無線インタフェースと通信可能である複数のアクセスポイントと、前記複数のアクセスポイントの何れかを介して、前記携帯端末と通信可能であるサーバとを備える医療情報提供システムにおいて用いられる医療情報提供方法であって、前記無線端末は、前記複数のアクセスポイントの何れかへの接続と共に、接続したアクセスポイント識別子を自動的に前記サーバに通知し、
同時的に、接続中のアクセスポイントと異なる別のアクセスポイントとのアクセスポイント識別子を監視し、前記サーバは、前記携帯端末から通知されるアクセスポイント識別子に基づいて、当該アクセスポイント識別子に関連付けられて記憶保存されているエリア情報を参照し、参照したエリア情報に基づいて前記携帯端末に医療情報を提供することを特徴とする。
【発明の効果】
【００１４】
本発明によれば、携帯端末を用いて医療情報を参照する際、素早くデータベースにアクセス可能な医療情報提供システムを提供できる。
【００１５】
また、本発明によれば、携帯端末を用いて医療情報を参照する際、素早くデータベースにアクセス可能な医療情報提供方法を提供できる。
【発明を実施するための最良の形態】
【００１６】
本発明の実施の一形態を図１ないし図６に基づいて説明する。
【００１７】
図１は、実施の一形態の医療情報提供システムを例示する構成図である。  
図１を参照すると、本実施の一形態の医療情報提供システムは、無線インタフェースを備える携帯端末１００と、前記携帯端末１００と通信可能である複数のアクセスポイント２１０、２２０、２３０、２４０と、アクセスポイントの何れかを介して、携帯端末１００と通信可能であるサーバ３００とを備えて成る。
【００１８】
携帯端末１００は、一般的なPDA等の情報処理装置であって、電子カルテや申し送り事項等の医療情報を表示可能とし、更に、無線LAN機能を有している。尚、無線LANに変えて、Bluetooth等の短距離無線インタフェースを用いても良い。また、無線インタフェースは、外部接続を用いて実現しても良い。
【００１９】
図２は、携帯端末１００の構成を例示する機能ブロック図である。  
携帯端末１００は、各種情報処理を行う制御部、基本制御プログラムが格納されているＲＯＭ、記憶部としてのＲＡＭ１１０、使用者によって情報を入力される入力部、医療情報等を出力する出力部、および、無線を介し通信を行うための無線インタフェース１２０がバスによって接続されている。尚、入力部には、タッチスクリーンや、キーパットなどが含まれる。出力部には、ＬＣＤ（Liquid Crystal Display）等の表示部や、スピーカなどが含まれる。
【００２０】
無線インタフェース１２０は、各種通信規格（プロトコル）に準拠し、無線を用いて、アクセスポイント２１０等と通信可能とする。
【００２１】
ＲＡＭ１１０には、様々なプログラムやデータファイルなどが記憶されている。また、ＯＳ（Operating System）も格納されている。制御部はＯＳの指示に基づいて動作する。ＲＡＭ１１０には、ＯＳの他にも通信プログラム１１１や、アクセスポイント接続プログラム１１２、アクセスポイント監視プログラム１１３、識別子送信プログラム１１４等が格納されており、必要に応じてＲＡＭ１１０上に展開されて使用される。
【００２２】
アクセスポイント接続プログラム１１２は、アクセスポイントから送信されるアクセスポイント識別子を含む電波を検出して接続するプログラムである。
【００２３】
アクセスポイント識別子とは、アクセスポイントを一意に識別可能である識別子（ＩＤ）であって、例えば、無線LAN の場合、BSSID（Basic Service Set Identifier）やESSID（Extended Service Set Identifier）、アクセスポイントのMACアドレスなどである。また、アクセスポイント識別子は、ネットワーク識別子とも言える。
【００２４】
アクセスポイント監視プログラム１１３は、接続前又は接続中に、周囲のアクセスポイントの電波を監視するプログラムである。尚、電波の強度等も監視する。
【００２５】
識別子送信プログラム１１４は、アクセスポイントに接続後、サーバ３００にアクセスポイント識別子を自動的に送信するプログラムである。
【００２６】
尚、各種プログラムは共に協調し、制御部や、出力部、記憶部、無線インタフェース１２０などのハードウェアを、通信手段や、表示手段、識別子を監視する監視手段、識別子を送信する通知手段等として機能させる。
【００２７】
アクセスポイント２１０、２２０、２３０、２４０は、LAN等のネットワークを介してサーバ３００に通信可能に接続されている。
【００２８】
また、アクセスポイント２１０、２２０、２３０は、夫々部屋Ａ４１０、部屋Ｂ４２０、リハビリルーム４３０をカバーエリアとし、アクセスポイント２４０は病室をカバーエリアとしていないものとする。
【００２９】
サーバ３００は、一般的なサーバを用いて実現される。即ち、制御部や記憶部、入力部、出力部、ネットワークインタフェース等を備え、後述するアクセスポイント識別子−エリア情報データベース３１０、医療情報データベース３２０を備える。
【００３０】
アクセスポイント識別子−エリア情報データベース３１０には、アクセスポイントを個別に識別できるID(識別子)とそれに対応したエリア情報とが登録されて記憶されている。
【００３１】
医療情報データベース３２０には、患者毎に保存された、電子カルテや申し送り事項、投薬情報、リハビリ経過情報等の医療情報が記録されている。
【００３２】
サーバ３００は、内蔵する補助記憶装置（記憶部）に記憶された各種プログラムに従って、後述する各種データベースからエリア情報を参照する手段や携帯端末に医療情報を提供する手段を実現する。
【００３３】
エリア情報を参照する手段は、アクセスポイント識別子−エリア情報データベース３１０から、携帯端末１００等から通知されるアクセスポイント識別子に基づいてアクセスポイント識別子に関連付けられて記憶保存されている。
【００３４】
携帯端末に医療情報を提供する手段は、医療情報データベース３２０から参照したエリア情報に基づいて携帯端末に医療情報を提供する。また、各種情報を携帯端末１００に提示可能に加工処理する。
【００３５】
ここで、アクセスポイント識別子−エリア情報データベース３１０および医療情報データベース３２０に記憶保存される情報を例示して説明する。
【００３６】
図３は、アクセスポイント識別子−エリア情報データベース３１０に記録保存されるテーブル情報を例示する図である。アクセスポイント識別子−エリア情報データベース３１０には、アクセスポイント識別子としてのBSSIDとエリア情報とが関連付けられて記憶保存されている。
【００３７】
図４は、医療情報データベース３２０に記録保存されるテーブル情報を例示する図である。医療情報データベース３２０には、個人（患者）の電子カルテ、申し送り事項３２１、３２２、３２３、３２４、３２５のように、エリア情報（部屋番号）と患者の医療情報とが関連付けられて記憶保存されている。
【００３８】
このような構成において、本発明の実施の一形態である医療情報提供システムは、携帯端末を用いて医療情報を参照する際、素早く医療情報にアクセスできる。また、部屋番号の入力やＩＤタグの検出を行なわずに、医療情報にアクセスできる。
【００３９】
次に、図５を参照して、医療情報提供システムの動作を説明する。尚、説明を明瞭とするため、通信規格に起因する詳細な動作は、省略して記載する。また、携帯端末１００は、部屋Ａに在るものとして説明する。
【００４０】
図５は、医療情報提供システムの動作を示すフローチャートである。図６は、携帯端末に表示される表示画面例を示す図である。尚、ステップＡ１〜Ａｎは、携帯端末１００の処理動作を示し、ステップＢ１〜Ｂｎは、サーバ３００の処理動作を示す。
【００４１】
電源が入れられた携帯端末１００の制御部は、起動後、通信プログラム１１１、アクセスポイント接続プログラム１１２、アクセスポイント監視プログラム１１３等に従い、ビーコン信号を取得して、接続可能なアクセスポイントの検出を試みる。その後、制御部は、検出したアクセスポイントに帰属（接続）し、当該アクセスポイントのBSSID（10:5e:3f:fa:01）を取得する(ステップＡ１)。  
携帯端末１００の制御部は、識別子送信プログラム１１４に基づいて、入手したBSSIDを、アクセスポイント２１０を介して、サーバ３００に通知する(ステップＡ２)。
【００４２】
携帯端末１００から通知されたBSSIDを受信したサーバ３００は、アクセスポイント識別子−エリア情報データベース３１０から、受信したBSSID（10:5e:3f:fa:01）に対するエリア情報が存在するか検索する(ステップＢ１)。  
受信したBSSIDに対するエリア情報が存在した場合（はい）には、制御部は、参照したエリア情報（部屋Ａ）を取得する（ステップＢ２)。  
その後、制御部は、取得したエリア情報に基づいて、医療情報データベース３２０から、該当する医療情報の取得を試みる（ステップＢ３)。  
ステップＢ３にて該当するエリア情報の医療情報が存在した場合(はい)には、制御部は、取得したデータを必要に応じて変更し、アクセスポイント２１０を介して携帯端末１００に送信する(ステップＢ４)。
【００４３】
サーバ３００からデータを受信した携帯端末１００は、例えば、図６（ａ）に示す様に、エリア情報から部屋番号（部屋Ａ）１１１を取得し、氏名（名前Ａ）１１２等の医療情報を取得し、表示画面を構築して出力する(ステップＡ３)。  
尚、携帯端末１００が部屋Ｂから、アクセスポイント２２０を介して通信した場合は、例えば、図６（ｂ）に示す様に、サーバ３００通知されたデータを元に携帯端末１００は、エリア情報から部屋番号（部屋Ｂ）１１１を取得し、当該エリア情報に関連する全ての医療情報から氏名（名前Ｂ、名前Ｃ、名前Ｄ）１１３ないし１１５を取得し、表示画面を構築して出力する(ステップＡ３)。尚、利用者（医師や看護師）が入力部を用いて携帯端末１００の表示画面の中の氏名を選択することによって、該当する電子カルテ、申し送り事項を表示用にしても良い。  
その後、携帯端末１００の制御部は、アクセスポイント監視プログラム１１３に従って、利用者が移動することにより帰属するアクセスポイントが変化した場合に、監視結果を用いて、変化したBSSIDをサーバ３００に通知する(ステップＡ２)一連の動作を再度行う(ステップＡ４)。
【００４４】
次に準正常系について説明する。  
まず、アクセスポイント識別子‐エリア情報データベース３１０にて携帯端末１００が送信したBSSIDに対応するエリア情報が存在しなかった場合について説明する。
【００４５】
例えば、携帯端末１００がアクセスポイント２４０を介してサーバ３００にBSSIDを通知した場合、BSSIDに対応するエリア情報が存在しないので、ステップＢ１のいいえに進む。このときサーバ３００の制御部は、アクセスポイント２４０のBSSID（10:5e:3f:aa:10）をアクセスポイント識別子‐エリア情報データベース３１０から検出し、該当するエリア情報が無いことを検出して、該当する部屋番号が存在しない旨の通知を行なう(ステップＢ５)。
【００４６】
その後、携帯端末１００は、BSSIDの変化を監視(ステップＡ５) し、変化を検知するとBSSIDをサーバ３００に自動的に送信 (ステップＡ２) し、一連の動作を再度行う。
【００４７】
次にアクセスポイント識別子‐エリア情報データベース３１０にはデータが存在するが、医療情報データベース３２０にデータが存在しない場合について説明する。
【００４８】
例えば、携帯端末１００がアクセスポイント２３０を介してサーバ３００にBSSIDを通知した場合、エリア情報に対する医療情報が存在しないので、ステップＢ３のいいえに進む。このときサーバ３００の制御部は、アクセスポイント２３０のBSSID（10:5e:3f:fa:04）をアクセスポイント識別子‐エリア情報データベース３１０から検出し、該当するエリア情報がリハビリルームであることを検出し、リハビリルームに該当する医療情報が存在しない旨の通知を行なう(ステップＢ６)。
【００４９】
その後、携帯端末１００は、BSSIDの変化を監視 (ステップＡ６) し、変化を検知するとBSSIDをサーバ３００に自動的に送信 (ステップＡ２) し、一連の動作を再度行う。
【００５０】
以上説明したように本実施の一形態の医療情報提供システムによれば、携帯端末を用いて医療情報を参照する際、素早く医療情報にアクセスできる。また、部屋番号の入力やＩＤタグの検出を行なわずに、医療情報にアクセスできる。
【００５１】
本発明の別の実施の一形態を図７ないし図１０に基づいて説明する。別の実施の一形態は、先に説明した実施の一形態と同様な構成（配置）であり、アクセスポイント識別子−エリア情報データベース３１０に格納される情報とサーバ３００の動作に差がある。尚、配置等の同一部分については、説明を省略する。
【００５２】
図７は、別の実施の一形態のアクセスポイント識別子−エリア情報データベース３１０ａに記録保存されるテーブル情報を例示する図である。  
アクセスポイント識別子−エリア情報データベース３１０ａには、アクセスポイント識別子としてのBSSIDとエリア情報とが関連付けられて記憶保存されている。また、項目によっては、BSSIDに複数のエリア情報（関連エリア情報）が関連付けられて記憶保存されている。尚、関連エリア情報は、他のエリア情報と対応している。当該関連エリア情報は、BSSIDのアクセスポイントの周囲のエリア情報を関連付けても良いし、所望するエリア情報を関連付けても良い。
【００５３】
このように、エリア情報を複数関連付けすることによって、アクセスポイントの周囲の部屋（所望の部屋）のBSSIDを取得可能にできる。具体的な例を挙げれば、廊下に設置されたアクセスポイントから、周囲数メータの部屋に設置されているアクセスポイントのBSSIDを取得できる。
【００５４】
また、他の例を挙げれば、複数のリハビリルームがあって、夫々にアクセスポイントが設置されている場合に、一つのリハビリルームのBSSIDに対応付けられて、別のリハビリルームのBSSIDが対応付けられている。
【００５５】
図８は、サーバ３００のステップＢ１後の処理動作を示すフローチャートである。また、本動作では、携帯端末１０が廊下に設置されたアクセスポイント（ネットワーク識別子：10:5e:3f:aa:10）の接続範囲内に在るものとする。
【００５６】
携帯端末１００からBSSID（10:5e:3f:aa:10）の通知を受けた受信したサーバ３００は、アクセスポイント識別子−エリア情報データベース３１０a から、受信したBSSIDに対するエリア情報が存在するか検索する。尚、受信したBSSIDに対するエリア情報が存在しない場合（いいえ）には、Ｂ５の処理に移行する（ステップＢ１）。  
受信したBSSIDに対するエリア情報が存在した場合（はい）には、制御部は、参照した項目（10:5e:3f:aa:10）に、複数のエリア情報が存在するか検索する。尚、BSSIDに対する複数のエリア情報が存在しない場合（いいえ）には、Ｂ２の処理に移行する(ステップＢ１０)。  
複数のエリア情報が存在した場合（はい）には、制御部は、参照した項目のエリア情報を携帯端末１００に送信し、関連付けて記憶されているエリア情報を使用者に提示する（ステップＢ１１）。  
複数のエリア情報（部屋Ａ、部屋Ｂ、リハビリルーム）が提示された携帯端末１００の応答（表示エリアの選択）に基づき、サーバ３００の制御部は、複数のエリア情報の中から、医療情報を取得するエリア情報を選択する（ステップＢ１２）。
【００５７】
図９は、ステップＢ１１処理中に、携帯電話１００の表示部に表示される表示画面を示した図である。図９に示されるように、表示は、部屋Ａ、部屋Ｂ、リハビリルームに近い廊下などに設置されたアクセスポイント２０４に帰属しているために、付近のエリア情報を表示して、使用者（医師や看護師）に提示し、選択処理を待つ。
【００５８】
このように、サーバ３００が動作することによって、部屋の外を移動すれば、帰属するアクセスポイントの変化に基づき、それに応じてアクセスポイントに近い部屋番号（所定のエリア情報）を表示可能となる。また、部屋に入る前に、データベースにアクセスする為、データの先読みが可能となり、表示までの表示時間の短縮が可能となる。
【００５９】
即ち、本実施の一形態によれば、患者の病室付近で、電子カルテや申し送り事項等の医療情報を事前に参照する際に、文字入力をすることなく無線端末の移動位置、アクセスポイントに関連して絞込みが容易となる。
【００６０】
具体的には、廊下に設置されているアクセスポイント２０４に帰属（接続）した場合は、帰属したアクセスポイント２０４に近い部屋Ａ、部屋Ｂ、リハビリルームを表示し、部屋の外において部屋番号の選択を容易とする。尚、図９に示す様に、携帯端末から直接部屋番号を入力可能にしても良い。この場合は、サーバ３００が、アクセスポイント識別子−エリア情報データベースに記録されている情報を、逆引きすれば、携帯端末１００の入力指示に基づいた医療情報の表示を実現できる。
【００６１】
また、上記説明と同様の技術を用い、ナースステーションに設置されるアクセスポイントを介しての携帯端末からのアクセスや、ＬＡＮに接続されたナースステーションの端末装置からのアクセスがあった場合、サーバ３００は、指定された部屋番号に基づく医療情報にアクセスして、申し送り事項の入力操作を可能とする。
【００６２】
更に、携帯端末からサーバ３００に問い合わせがあると、携帯端末の通知したアクセスポイント識別子からエリア情報を特定し、図１０に示すように携帯端末に対応したエリア番号を表示し、携帯端末を管理する使用者の位置情報を表示することが可能である。なお、この場合には、配置図（表示する地図）のデータベースを有するようにすれば良い、医療情報を参照する際、利便性の良い医療情報提供システムを提供できる。
【００６３】
以上説明したように、本発明によれば、携帯端末を用いて医療情報を参照する際、素早くデータベースにアクセス可能な医療情報提供システムを提供できる。
【００６４】
尚、上記説明では、同一サーバ上に、複数のデータベースが存在するとしたが、これらのデータベースは分散して構築されてもよい。
【００６５】
また、上記説明は、アクセスポイントの設置位置を何ら限定するものではない。尚、アクセスポイントは、管理した区画毎に設ければそれでよく、台数等は自由である。
【００６６】
また、本発明は、病院のみでなくとも、老人介護施設等の医療施設といった場所での、すばやい個人情報検索用途に適用できる。
【図面の簡単な説明】
【００６７】
【図１】実施の一形態の医療情報提供システムを例示する構成図である。
【図２】携帯端末の構成を例示する機能ブロック図である。
【図３】アクセスポイント識別子−エリア情報データベースに記録保存されるテーブル情報を例示する図である。
【図４】医療情報データベースに記録保存されるテーブル情報を例示する図である。
【図５】医療情報提供システムの動作を示すフローチャートである。
【図６】携帯端末に表示される表示画面例を示す図である。
【図７】別の実施の一形態のアクセスポイント識別子−エリア情報データベースに記録保存されるテーブル情報を例示する図である。
【図８】サーバのステップＢ１後の処理動作を示すフローチャートである。
【図９】ステップＢ１１処理中の携帯電話の表示画面を示した図である。
【図１０】端末に表示される表示画面例を示す図である。
【符号の説明】
【００６８】
１００  携帯端末
１１０  ＲＡＭ
１１１  通信プログラム
１１２  アクセスポイント接続プログラム
１１３  アクセスポイント監視プログラム（監視手段）
１１４  識別子送信プログラム（送信手段）
１２０  無線インタフェース
２１０、２２０、２３０、２４０  アクセスポイント
３００  サーバ
３１０、３１０ａ  アクセスポイント識別子‐エリア情報データベース
３２０  医療情報データベース
【図１】
2010079463.tif 000003
【図２】
2010079463.tif 000004
【図３】
2010079463.tif 000005
【図４】
2010079463.tif 000006
【図５】
2010079463.tif 000007
【図６】
2010079463.tif 000008
【図７】
2010079463.tif 000009
【図８】
2010079463.tif 000010
【図９】
2010079463.tif 000011
【図１０】
2010079463.tif 000012